(57)【特許請求の範囲】
【請求項１】
ほぼ直方体形状の外観を呈する扁平なケース内にハードディスクの駆動部などを収容するハードディスク・ドライブの収容構造において、前記ケースは、ケース蓋と、該ケース蓋を開放底部に装着する箱形のケース本体とからなり、該ケース本体の周囲内壁面に沿って、所要厚さの吸音材を配置すると共に、前記ケース本体の天板部の内側に位置して放熱板を配置し、該放熱板から前記ケース本体の内側に向けて起立する支持部材間に前記ハードディスク・ドライブを保持し、前記放熱板、支持部材およびケース蓋を、前記ハードディスク・ドライブに接触させて放熱する放熱構造とするように、前記ケース蓋、ケース本体、放熱板および支持部材を、アルミニウムあるいはアルミニウム合金製としたことを特徴とするハードディスク・ドライブの収容構造。
【請求項２】
ほぼ直方体形状の外観を呈する扁平なケース内にハードディスクの駆動部などを収容するハードディスク・ドライブの収容構造において、前記ケースは、ケース蓋と、該ケース蓋を開放底部に装着する箱形のケース本体とからなり、該ケース本体の周囲内壁面に沿って、所要厚さの吸音材を配置すると共に、前記ケース本体の天板部の内側に位置して放熱板を配置し、該放熱板から前記ケース本体の内側に向けて起立する支持部材間に前記ハードディスク・ドライブを保持し、前記ケース蓋の内面には、高伝熱性およびクッション性のある部材を介して、第２の放熱板が装着されていて、前記放熱板、支持部材および第２の放熱板を、前記ハードディスク・ドライブに接触させて放熱する放熱構造とするように、前記ケース蓋、ケース本体、放熱板および支持部材を、アルミニウムあるいはアルミニウム合金製としたことを特徴とするハードディスク・ドライブの収容構造。
【請求項３】
前記吸音材は、スポンジ状の軟質合成樹脂または天然ゴムで構成されていることを特徴とする、請求項１又は２に記載のハードディスク・ドライブの収容構造。
【請求項４】
前記ケース本体の天板部と放熱板との間には、高伝熱性およびクッション性のある部材が介装されていることを特徴とする、請求項１又は２に記載のハードディスク・ドライブの収容構造。
【発明の詳細な説明】
【０００１】
【発明の属する技術分野】
本発明は、主として、ほぼ直方体形状の外観を呈する扁平なケース内にハードディスクの駆動部などを収容するハードディスク・ドライブの収容構造に関するものである。
【０００２】
【従来の技術】
一般に、ハードディスク・ドライブは、高速回転する駆動部を備えているので、これに伴って、生起する発熱および振動についての対策が必要であり、前記駆動部を収容する収容ケースにおいては、ドライブの回転や振動に伴う音を防止するために、密閉性を持たせることが有効な方法である。しかし、放熱性の面から見れば、空気の対流がなく熱がこもり充分な放熱性を確保できないという問題があった。
【０００３】
【発明が解決しようとする課題】
本発明は、上記事情に基づいてなされたもので、密閉性を確保して振動音の吸収を図りながら、しかも、放熱を効果的に実現できるハードディスク・ドライブの収容構造を提供することを目的とする。
【０００４】
【課題を解決するための手段】
このため、本発明では、ほぼ直方体形状の外観を呈する扁平なケース内にハードディスクの駆動部などを収容するハードディスク・ドライブの収容構造において、前記ケースは、ケース蓋と、該ケース蓋を開放底部に装着する箱形のケース本体とからなり、該ケース本体の周囲内壁面に沿って、所要厚さの吸音材を配置すると共に、前記ケース本体の天板部の内側に位置して放熱板を配置し、該放熱板から前記ケース本体の内側に向けて起立する支持部材間に前記ハードディスク・ドライブを保持し、前記放熱板、支持部材およびケース蓋を、前記ハードディスク・ドライブに接触させて放熱する放熱構造とするように、前記ケース蓋、ケース本体、放熱板および支持部材を、アルミニウムあるいはアルミニウム合金製としたことを特徴とする。
【０００５】
このような構成では、吸音材によって、振動音が吸収され、外部への漏出が低減される上、熱伝導性の良い素材で、前記ケース蓋、ケース本体、放熱板および支持部材が構成されていることにより、ハードディスク・ドライブの放熱効果も発揮できる。
【０００６】
この場合、本発明の実施の形態として、前記吸音材が、スポンジ状の軟質合成樹脂または天然ゴムで構成されていること、前記ケース蓋の内面には、高伝熱性およびクッション性のある部材を介して、第２の放熱板が装着されていて、これが前記ハードディスク・ドライブに接触していること、また、前記ケース本体の天板部と放熱板との間には、高伝熱性およびクッション性のある部材が介装されていることは、それぞれ、期待する効果を向上する上で有効である。
【０００７】
【発明の実施の形態】
以下、本発明の実施の形態を、図面を参照して具体的に説明する。図１〜図６に示す本実施の形態におけるハードディスク・ドライブの収容構造は、ほぼ直方体形状の外観を呈する扁平なケース１内にハードディスク及びその駆動部等を有するハードディスク・ドライブ（図示せず）を、接続ケーブル等の他の電子部品（図示せず）と共に収容するものであって、ケース１は、ケース蓋１１と、ケース蓋１１を開放底部に装着する箱形のケース本体１２とからなる。
【０００８】
ケース本体１２には、その周囲内壁面に沿って、所要厚さの吸音材２（この実施の形態では、内壁の前側を残して、後側および両側に接するコ字形）が配置されており、また、ケース本体１２の天板部の内側に位置して、放熱板３が配置されている。そして、放熱板３からケース本体１２の内側に向けて起立する支持部材４、４の間には、ハードディスク・ドライブが保持されるようになっている。
【０００９】
特に、上述の放熱板３、支持部材４、４およびケース蓋１１を、ハードディスク・ドライブに接触させて放熱する放熱構造とするように、ケース蓋１１、ケース本体１２、放熱板３および支持部材４を、アルミニウムあるいはアルミニウム合金製としている。尚、後述するように、図５に示す実施形態ではケース蓋１１と第２の放熱板３ａとの間に高伝熱性およびクッション性のある方形板部材５を介装し、第２の放熱板３ａおよび方形板部材５を介した放熱構造としている。
【００１０】
このような構成では、吸音材２によって、振動音が吸収され、外部への漏出が低減される上、熱伝導性の良い素材で、ケース蓋１１、ケース本体１２、放熱板３および支持部材４、４が構成されていることにより、ハードディスク・ドライブの放熱効果も発揮できる。
【００１１】
なお、この実施の形態では、吸音材２が、スポンジ状の軟質合成樹脂または天然ゴムで構成されている。そして、その一部は、ケース本体１２の内壁面と支持部材４、４との間に挟装された状態で、その位置を確保している。ここで、図５に示すケース蓋１１の内面には、高伝熱性およびクッション性のある部材、例えば、商品名「ソルボセイン」（粘着性合成樹脂）の方形板部材５を介して、第２の放熱板３ａが装着されていて、これがハードディスク・ドライブに接触するようになっているが、このように、ハードディスク・ドライブをケース蓋１１に直接接触させる代わりに、第２の放熱板３ａ、高伝熱性およびクッション性のある方形板部材５を介して、ケース蓋１１に接触する構造としてもよい。
また、図６に示すように、ケース本体１２の天板部と放熱板３との間にも、上述と同様に、高伝熱性およびクッション性のある方形板部材５が介装されている。
【００１２】
更に詳述すると、ケース蓋１１およびケース本体１２が互いに接合する後縁部において、ケース本体１２には、外部への電気信号の接続ケーブル（図示せず）を引き出すためのスリット状の開口部１２ａが形成されており、ここでは、密閉度の確保と接続コードの保護のために、ケース蓋１１およびケース本体１２の後縁部に、それぞれ、軟質合成樹脂の帯状体６、６が嵌合・装着されている。
【００１３】
また、ケース蓋１１と放熱板３ａとの間には、方形板部材５を囲むように枠状の吸音材２ａ（吸音材２とほぼ同材質）が、帯状の両面接着材７を介して装着されている。また、ケース本体１２の天板部と放熱板３との間には、前記同様に、方形板部材５を囲むように、枠状の吸音材２ａが帯状の両面接着材７を介して装着されている。
【００１４】
なお、この実施の形態では、前述の放熱板３の前縁には、支持部材４、４と同様な形態で起立した板状の支持部３ｂが形成されており、
後側を残して、ケース本体１２の内周壁（前側、両側）と吸音材２との間に薄い厚さの吸音材２ｂが装着される。また、図中、符号８はゴムパッキング材である。
【００１５】
これら放熱板３、３ａから方形板部材５、５を介して、それぞれ、ケース本体１２の天板部およびケース蓋１１への熱伝達経路が構成され、また、支持板４、４および支持部３ｂから放熱板３、３ａへの熱伝達経路が構成されるので、ケース内部に収容されたハードディスク・ドライブは、外部への電気信号の接続ケーブルを引き出すためのスリット状の開口部１２ａを除くほぼ全ての面から放熱できることになる。
【００１６】
しかも、駆動部の回転による振動（振幅）の大きいケース本体の側周壁面には、ハードディスク・ドライブとの間に吸音材２、２ｂが、また、枠状の吸音材２ａ、２ａが振動吸収体として働き、外部への振動音の漏出を抑制することができる。
【００１７】
【発明の効果】
本発明は、以上詳述したようになり、ほぼ直方体形状の外観を呈する扁平なケース内にハードディスクの駆動部などを収容するハードディスク・ドライブの収容構造において、前記ケースは、ケース蓋と、該ケース蓋を開放底部に装着する箱形のケース本体とからなり、該ケース本体の周囲内壁部に沿って、所要厚さの吸音材を配置すると共に、前記ケース本体の天板部の内側に位置して放熱板を配置し、該放熱板から前記ケース本体の内側に向けて起立する支持部材間に前記ハードディスク・ドライブを保持し、前記放熱板、支持部材およびケース蓋を、前記ハードディスク・ドライブに接触させて放熱する放熱構造とするように、前記ケース蓋、ケース本体、放熱板および支持部材を、アルミニウムあるいはアルミニウム合金製としたことを特徴とする。
【００１８】
従って、吸音材によって、振動音が吸収され、外部への漏出が低減される上、熱伝導性の良い素材で、前記ケース蓋、ケース本体、放熱板および支持部材が構成されていることにより、ハードディスク・ドライブの放熱効果も発揮できる。
【図面の簡単な説明】
【図１】本発明の実施の形態を示す透視底面図である。
【図２】同じく、透視正面図である。
【図３】同じく、透視側面図である。
【図４】同じく、透視後面図である。
【図５】同じく、ケース蓋部分の分解斜視図である。
【図６】同じく、ケース本体部分の分解斜視図である。
【符号の説明】
１    ケース
１１    ケース蓋
１２    ケース本体
１２ａ    開口部
２、２ａ、２ｂ    吸音材
３、３ａ    放熱板
３ｂ    支持部
４    支持部材
５    方形板部材
６    帯状体
７    両面接着材
８    ゴムパッキング材
【図１】
0003763346.tif 000002
【図２】
0003763346.tif 000003
【図３】
0003763346.tif 000004
【図４】
0003763346.tif 000005
【図５】
0003763346.tif 000006
【図６】
0003763346.tif 000007